(57)【要約】【課題】内部に磁気ディスクを収容した扁平なハウジングに形成された磁気ヘッドアクセス用の略Ｖ字状の開口部を、ハウジングの変形を抑制し、かつ金型の耐久性を向上させる形状にする。【解決手段】磁気ヘッドを先端部に備えたスイングアームの延長方向に沿ってハウジングの外縁から切り込まれた第１エッジ部１６ａを略Ｖ字状の開口部１６の谷の近傍まで略直線状に延ばし、かつこの谷において比較的緩やかな円弧１６ｃを描いて、スイングアームの先端の移動軌跡の外側に沿ってハウジングの外縁から切り込まれた第２エッジ部１６ｂに連続させる。【選択図】          図１
2004342190.tif 000002
【特許請求の範囲】
【請求項１】
中心部にセンタコアを固着した磁気ディスクを内部に収容しかつ前記センタコアを外部に臨ませる中心孔を備えた扁平なハウジングを備え、該ハウジングに、ドライブ装置のスイングアームの先端に取り付けられた磁気ヘッドを前記磁気ディスクにアクセスさせるための開口部が形成され、該開口部が、前記スイングアームの延長方向に沿って前記ハウジングの外縁から切り込まれた第１エッジ部と、前記スイングアームの先端の移動軌跡の外側に沿って前記ハウジングの外縁から切り込まれた第２エッジ部とを備えて略Ｖ字状に形成されるとともに、前記ハウジングに、前記開口部を開閉するロータリーシャッタが回転可能に設けられてなる磁気ディスクカートリッジにおいて、
前記開口部の第１エッジ部が前記略Ｖ字状の開口部の谷の近傍まで略直線状に延び、かつ該谷において比較的緩やかな円弧を描いて前記第２エッジ部に連続していることを特徴とする磁気ディスクカートリッジ。
【請求項２】
前記略Ｖ字状の開口部の谷における前記円弧が、前記ハウジングを構成する板部材の厚さの５倍以上の曲率半径を有することを特徴とする請求項１記載の磁気ディスクカートリッジ。
【請求項３】
前記センタコアを外部に臨ませるための中心孔の周縁と前記第１エッジ部との間の最短距離が、前記板部材の厚さの５．５倍以上に設定されていることを特徴とする請求項２記載の磁気ディスクカートリッジ。
【発明の詳細な説明】
【０００１】
【発明の属する技術分野】
本発明は、磁気ディスクを収容するハウジングに形成された磁気ヘッドアクセス用の開口部を開閉するロータリーシャッタを備えた小型の磁気ディスクカートリッジに関するものである。
【０００２】
【従来の技術】
近年、記録媒体としての磁気ディスクの高容量化、小型化が進んでおり、このような磁気ディスクを回転自在に収容する小型磁気ディスクカートリッジの一例として、「ｃｌｉｋ！（Ｒ）」と呼ばれるものが知られている（特許文献１参照）。
【０００３】
図３（ａ），（ｂ）は上記磁気ディスクカートリッジの平面図および底面図、図４は図３（ｂ）のＩＶ−ＩＶ線に沿った要部の拡大断面図である。
【０００４】
この磁気ディスクカートリッジ１は、押込み部２ａを含む樹脂製のフレーム２と、厚さ０．２ｍｍ程度のステンレス鋼板からなる上シェル３および下シェル４とによって構成された、幅５０ｍｍ、奥行き５５ｍｍ、厚さ１．９５ｍｍの扁平なハウジング内に、１ＧＢの記憶容量を有する直径１．８インチ（４５．７ｍｍ）の磁気ディスク５を、ドライブ装置に装填されたときに回転自在になるように収容している。磁気ディスク５の中央部には、中心孔１０ａを備えたセンタコア１０が固着されている。
【０００５】
この磁気ディスクカートリッジ１は、幅５３ｍｍ、奥行き８５ｍｍ、厚さ５ｍｍの外寸を有するＴＹＰＥＩＩ  ＰＣカード型のドライブ装置（図略）が備えているスロットに挿入形式でローディングされるように構成され、上下シェル３，４には、上記ドライブ装置が備えている記録再生用磁気ヘッドを磁気ディスク５の表面にアクセスさせるための略Ｖ字状の開口部６が形成され、上下シェル３，４の内側には、上記開口部６を回転式に開閉するための開口部７ａを備えたロータリーシャッタ７が、図示しないバネ部材によって閉方向に付勢された態様で設けられている。
【０００６】
ロータリーシャッタ７は、周縁部で互いに係合された上下のシャッタ部材７Ｕ，７Ｄからなり、図４から明らかなように、上シャッタ部材７Ｕは、上シェル３の下面から内方へ突出する小径の円筒体３ａによって回転可能に軸支され、かつ円筒体３ａの先端には、上シャッタ部材７Ｕの円筒体３ａからの抜出しを防止するためのセンタピンと呼ばれる抜止め部材９が溶接されて、センタコア１０の中心孔１０ａ内に介入している。上下のシャッタ部材７Ｕ，７Ｄの内面にはライナ１３が貼り付けられている。
【０００７】
下シェル４の中央部には、センタコア１０を外部に臨ませる円形の中心孔４ａが形成され、下シャッタ部材７Ｄの中心部には、下シェル４の中心孔４ａの周縁に遊嵌される大径の円筒体７Ｄａが下方へ向かって突設されて、この円筒体７Ｄａによって下シャッタ部材７Ｄが下シェル４に回転可能に支持されているとともに、円筒体７Ｄａの先端部がカシメられて、下シャッタ部材７Ｄの下シェル４からの抜出しを防止するフランジ１２が形成されている。
【０００８】
さらに下シェル４には、ロータリーシャッタ７と同心的な円弧状溝４ｂが形成され、下シャッタ部材７Ｄには、図３（ｂ）に示すように、上記円弧状溝４ｂから突出しかつこの円弧状溝４ｂに沿って移動してロータリーシャッタ７を開閉するシャッタノブ７ｂが固設されている。そして、ドライブ装置に対する磁気ディスクカートリッジ１のローディング動作に伴って、ドライブ装置の係合壁面がシャッタノブ７ｂに係合して、ロータリーシャッタ７がその開口部７ａを上下シェル３，４の開口部６に一致させた開位置まで約６０度回転されることにより、磁気ディスク５を上下シェル３，４の開口部６から露出させ、かつドライブ装置からの磁気ディスクカートリッジ１のアンローディング動作に伴って、ロータリーシャッタ７は図示しないバネ部材によって図３（ａ），（ｂ）に示す閉位置に復帰するように構成されている。
【０００９】
ドライブ装置が備えている磁気ヘッドは、この磁気ディスクカートリッジ１が、そのロータリーシャッタ７を開状態にしてドライブ装置にロードされたときに、図３（ａ），（ｂ）のＰ点を中心にして揺動可能なスイングアーム（図略）の先端に取り付けられており、上下シェル３，４の開口部６のエッジは、スイングアームの延長方向に沿ってハウジングの外縁から切り込まれたエッジ部６ａと、スイングアームの先端の移動軌跡Ｓの外側に沿ってハウジングの外縁から切り込まれたエッジ部６ｂと、下シェル４の中心孔４ａの周縁と同心的な円弧を描いて両エッジ６ａ，６ｂの端部間を連結するエッジ部６ｃとから構成されている。
【００１０】
したがって、下シェル４の中心孔４ａの周縁と、これと同心的なエッジ部６ｃとの間には、幅の狭い（０．８８ｍｍ程度）帯状の連結部４ｃが介在している。
【００１１】
【特許文献１】
米国特許第６２５６１６８号明細書
【００１２】
【発明が解決しようとする課題】
ところで、センタコア１０を外部に臨ませるために下シェル４に形成された円形の中心孔４ａと開口部６のエッジ部６ｃとの間に介在する帯状の領域４ｃは、下シェル４の形状安定のために必要な部分であるが、この領域４ｃの幅が狭いため、この部分に応力が集中しやすく、荷重を受けたときに下シェル４全体が変形しやすいという問題があった。
【００１３】
また、上下シェル３，４は金属板のプレス加工によって成形されるが、エッジ部６ａとエッジ部６ｃとの交点Ａと、エッジ部６ｂと６ｃとの交点Ｂとに曲率半径の小さい部分が存在し、特に、略Ｖ字状の開口部６の谷に相当するエッジ部６ｂと６ｃとの交点Ｂにおける曲率半径が、下シェル４の厚さ０．２ｍｍに対して０．７５ｍｍ程度と比較的小さいために加工性が悪く、歩留まりが悪いのみでなく、金型の耐久性にも問題があった。そしてこの問題は、ハウジングを金属板のプレス加工で形成する場合のみでなく、ハウジングを合成樹脂の形成加工で作成する場合においても同様であった。
【００１４】
よって本発明は、従来のこの種の磁気ディスクカートリッジにおける上述した問題点を解決することを目的とするものである。
【００１５】
【課題を解決するための手段】
本発明は、中心部にセンタコアを固着した磁気ディスクを内部に収容しかつ上記センタコアを外部に臨ませる中心孔を備えた扁平なハウジングを備え、このハウジングに、ドライブ装置のスイングアームの先端に取り付けられた磁気ヘッドを磁気ディスクにアクセスさせるための開口部が形成され、この開口部が、スイングアームの延長方向に沿ってハウジングの外縁から切り込まれた第１エッジ部と、スイングアームの先端の移動軌跡の外側に沿ってハウジングの外縁から切り込まれた第２エッジ部とを備えて略Ｖ字状に形成されるとともに、上記ハウジングに、上記開口部を開閉するロータリーシャッタが回転可能に設けられてなる磁気ディスクカートリッジにおいて、
上記開口部の第１エッジ部が略Ｖ字状の開口部の谷の近傍まで略直線状に延び、かつこの谷において比較的緩やかな円弧を描いて第２エッジ部に連続していることを特徴とするものである。
【００１６】
この場合、略Ｖ字状の開口部の谷における比較的緩やかな円弧とは、磁気ヘッドの動作に干渉しない範囲内で、ハウジングを構成する板部材の厚さの５倍以上の曲率半径を有することを意味する。
【００１７】
また、センタコアを外部に臨ませるためにハウジングに形成された中心孔の周縁と上記第１エッジ部との間の最短距離が、板部材の厚さの５．５倍以上に設定されていることが好ましい。
【００１８】
【発明の効果】
本発明によれば、スイングアームの延長方向に沿ってハウジングの外縁から切り込まれた第１エッジ部が略Ｖ字状の開口部の谷の近傍まで略直線状に延び、かつこの谷において、ハウジングを構成する板部材の厚さの５倍以上の曲率半径を有する比較的緩やかな円弧を描いて第２エッジ部に連続していることにより、加工性が向上し、かつ金型の寿命を延ばすことができる。
【００１９】
また、センタコアを外部に臨ませるためにハウジングに形成された中心孔の周縁と上記第１エッジ部との間の幅の狭い帯状の領域がなくなるため、ハウジングの変形を抑制することができる効果がある。
【００２０】
【発明の実施の形態】
以下、本発明の実施の形態について、図面を参照して詳細に説明する。
【００２１】
図１（ａ），（ｂ）は、本発明による磁気ディスクカートリッジの実施の形態を図３（ａ），（ｂ）に対応させて示す平面図および底面図、図２はハウジングの下シェルの要部の拡大底面図である。
【００２２】
本実施の形態の磁気ディスクカートリッジ１においても、スイングアームの延長方向に沿ってハウジングの外縁から切り込まれた第１エッジ部１６ａと、スイングアームの先端の移動軌跡の外側に沿ってハウジングの外縁から切り込まれた第２エッジ部１６ｂとによって、磁気ヘッドを磁気ディスク５にアクセスさせるための略Ｖ字状の開口部１６がハウジングに形成されているが、第１エッジ部１６ａが、略Ｖ字状の開口部１６の谷の近傍まで略直線状に延び、かつこの谷において、磁気ヘッドの動作に干渉しない範囲内で、下シェル４を構成する板部材の厚さの５倍以上の曲率半径を有する比較的緩やかな円弧１６ｃを描いて、直線的な第２エッジ部１６ｂに連続している点に特徴がある。
【００２３】
本実施の形態においては、下シェル４の厚さ０．２ｍｍに対して、円弧１６ｃの曲率半径ｒ（図２）を２．５ｍｍに設定した。
【００２４】
また、図２に示すように、センタコア１０を外部に臨ませるために下シェル４に形成された中心孔４ａの周縁と第１エッジ部１６ａとの間の領域４ｄの幅が従来よりも広く設定されており、この領域４ｄにおける中心孔４ａの周縁と第１エッジ部１６ａとの間の最短距離ｄは、下シェル４を構成する板部材の厚さの５．５倍以上に設定されていることが好ましく、本実施の形態においては、下シェル４の厚さ０．２ｍｍに対して、最短距離ｄを１．５ｍｍに設定してある。
【００２５】
なお、本実施の形態の磁気ディスクカートリッジ１は、上記開口部１６の形状を除き、図３（ａ），（ｂ）に示した従来の磁気ディスクカートリッジと同様であるから、対応する部材に同一の符号を付して、重複する説明は省略する。
【００２６】
本実施の形態によれば、従来の磁気ディスクカートリッジにおける開口部６のエッジのような曲率半径の小さい部分がないから、金型の耐久性を向上させることができる。また、センタコア１０を外部に臨ませるために下シェル４に形成された中心孔４ａの周縁と第１エッジ部１６ａとの間に幅の狭い帯状の領域がなくなるため、下シェル４の変形を抑制することができる。
【図面の簡単な説明】
【図１】図１（ａ），（ｂ）は、本発明による磁気ディスクカートリッジの実施の形態を平面図および底面図
【図２】図１の磁気ディスクカートリッジの下シェルの要部の拡大底面図
【図３】図３（ａ），（ｂ）は、従来の磁気ディスクカートリッジの平面図および底面図
【図４】図３（ｂ）のＩＶ−ＩＶ線に沿った拡大断面図
【符号の説明】
３    上シェル
４    下シェル
４ａ    下シェルの中心孔
５    磁気ディスク
６，１６    開口部
７    ロータリーシャッタ
７Ｕ    上シャッタ部材
７Ｄ    下シャッタ部材
１０    センタコア
１６ａ，１６ｂ    エッジ部
【図１】
2004342190.tif 000003
【図２】
2004342190.tif 000004
【図３】
2004342190.tif 000005
【図４】
2004342190.tif 000006